(57)【要約】  【課題】  高精度で原稿サイズの判別を行うことが可能であり，また，原稿サイズの判別を短い時間で行うことが可能な画像処理装置を提供すること。  【解決手段】  原稿台１に離接可能であり，該原稿台１に近接させることにより原稿Ｓを押さえる原稿押さえ部材２ａに凹部２０を設けておき，該凹部２０の内部に発光部３を設ける。また，前記原稿台１の前記原稿Ｓの載置面の反対側に前記発光部３各々に対応する受光部４を設ける。前記発光部３から出射された光を前記受光部４で受光し，その結果に基づいて前記原稿Ｓのサイズを判別する。【選択図】  図２
2006332776.tif 000002
【特許請求の範囲】
【請求項１】
光を透過させる部材からなり原稿が載置される原稿台と，該原稿台に離接可能に構成され該原稿台に近接させることにより前記原稿を押さえる原稿押さえ部と，該原稿押さえ部により押さえられた前記原稿から前記原稿台を介して画像を読み取る画像読み取り手段と，を具備する画像処理装置であって，
前記原稿押さえ部側と前記原稿台を境として前記原稿が載置される側とは反対側とに対向配置された発光部及び受光部を備え，前記発光部から出射される光を前記受光部を通じて検知する１又は複数の光検知手段と，
前記光検知手段の検知結果に基づいて前記原稿のサイズを判別する原稿サイズ判別手段と，
を具備してなることを特徴とする画像処理装置。
【請求項２】
前記原稿サイズ判別手段による判別結果に基づいて前記画像読み取り手段による画像読み取り範囲を制御する読み取り範囲制御手段を具備してなる請求項１に記載の画像処理装置。
【請求項３】
前記光検知手段における複数の前記発光部及び受光部が，予め定められた複数のサイズの矩形状の前記原稿各々がその一の角部を所定の基準位置に位置合わせされた状態で前記原稿台に載置された場合に，該原稿各々における前記一の角部に対向する角部である基準対向角部に対応する位置各々に配置されてなる請求項１又は２のいずれかに記載の画像処理装置。
【請求項４】
前記光検知手段における複数の前記発光部及び受光部の一部又は全部が，前記原稿各々における前記基準対向角部ごとに，該基準対向角部における当該原稿の内側と外側とに一対に配置されてなる請求項３に記載の画像処理装置。
【請求項５】
前記光検知手段における前記発光部若しくは前記受光部が，前記原稿押さえ部の前記原稿に接する面に形成された凹部内に設けられてなる請求項１〜４のいずれかに記載の画像処理装置。
【請求項６】
前記原稿押さえ部における前記凹部内に前記発光部が設けられ，該凹部内の内面形状が，前記発光部から開口部に至るまで略同一の広さの筒状若しくは徐々に狭まるテーパ状に形成されてなる請求項５に記載の画像処理装置。
【請求項７】
前記原稿押さえ部が前記原稿を押さえる第１の位置よりもわずかに前記原稿台から離間する側の第２の位置にあることを検知する原稿押さえ部位置検知手段と，
前記原稿押さえ部が前記第２の位置から前記第１の位置に変位した状態で前記凹部の開口部を塞ぐ遮蔽手段とを具備し，
前記原稿サイズ判別手段が，前記原稿押さえ部位置検知手段により前記原稿押さえ部が前記第２の位置にあることが検知された際における前記光検知手段の検知結果に基づいて前記原稿のサイズを判別してなる請求項５又は６のいずれかに記載の画像処理装置。
【請求項８】
前記遮蔽手段が，前記原稿押さえ部に設けられ弾性変形して前記凹部の開口部を塞ぐ弾性部である請求項７に記載の画像処理装置。
【発明の詳細な説明】
【技術分野】
【０００１】
本発明は，原稿から画像を読み取る画像読取部を備えた画像処理装置に関するものであり，詳しくは，前記画像の読み取り前に前記原稿のサイズを判別する機能を有する画像処理装置に関するものである。
【背景技術】
【０００２】
スキャナ，複写機等の画像読取部を有する画像処理装置では，原稿から画像が読み取られる前段階で前記原稿のサイズの判別が行われる。前記原稿のサイズ判別は，メモリコピーの際に必要なメモリ容量の低減，読み取り時間の短縮，画像処理の適用範囲の制限などを行う為に不可欠な技術である。
尚，前記原稿からの画像読み取り方式として，ＡＤＦで搬送中の原稿から画像を読み取る原稿移動方式と，原稿台上に前記原稿を保持した状態で前記画像を読み取る原稿固定方式とが知られている。前記原稿移動方式では，前記原稿のサイズ判別は，前記ＡＤＦに設けられた前記原稿の載置部において行われるのが一般的である。一方，前記原稿固定方式では，以下の２通りの前記原稿サイズの判別方法が，広く知られ用いられている。
【０００３】
図１は，前記原稿固定方式における原稿サイズの判別方法を説明するための，従来例に係る複合機（画像処理装置の一例）の前記原稿台周辺の概略構成図である。以下，図１を参照しつつ，まず前記原稿固定方式における第１の原稿サイズ判別方法を説明する。
図１に示されるように，画像読み取り対象の原稿Ｓは，プラテンガラス等の光を透過させる部材からなる原稿台１に載置される。また，前記原稿Ｓは，前記原稿台１に離接可能に構成された原稿押さえ部２ｂにより押さえられ，前記原稿台１上での位置が保持される。
前記原稿台１の内部（前記原稿台１を境として前記原稿Ｓが載置される側とは反対側）には，各々対応する発光部３，受光部４が複数対設けられている。前記原稿台１上の前記原稿の載置面に対して前記発光部３より光が照射され，また，その反射光を対応する前記受光部４で受光する。前記原稿Ｓが光の光路上を占めているか否か，言い換えると，前記光が前記原稿Ｓにより反射されたか，それとも前記原稿押さえ部２ｂに前記原稿台１に対向して設けられた白色のシート状部材である白板５で反射されたかで，前記反射光の強度は異なる。
そこで，前記反射光の強度から，前記光の照射位置各々に前記原稿Ｓがあるか否かが判別可能である。従って，前記複数の受光部４による反射光の強度の計測結果に基づいて，それぞれの照射位置に前記原稿Ｓがあるか否かの情報を集計することにより，前記原稿Ｓのサイズが判別可能である。
尚，このような原稿サイズの判別は，前記原稿Ｓの画像が前記原稿台１の内部に設けられる光学系（図２参照）により読み取られる前段階で行われるのが通常である。
【０００４】
一方，前記原稿固定方式における原稿サイズの判別として，図には示さないが，以下のような第２の方法も知られている（例えば，特許文献２等に記載）。
前記原稿を含む前記原稿台上の全領域から，一旦低解像度で画像を読み取る（プレスキャンを行う）。また，読み取られた画像に所定の画像処理を施し，前記原稿の輪郭を抽出する。これにより，前記原稿のサイズを判別する。
【特許文献１】特開平０８−３２７６４号公報
【特許文献２】特開平０４−５１１７４号公報
【発明の開示】
【発明が解決しようとする課題】
【０００５】
しかしながら，上述の第１，第２の方法は，いずれも以下のような問題点を有している。
まず，前記第１の方法では，発光部３により出射された光は原稿Ｓの表面若しくは白板５の表面での反射時に拡散が生じるため，受光部４に対する反射光の強度を確保するのが難しいという問題点がある。また，前記光の光路長は，前記発光部３から前記原稿Ｓまでの距離の２倍強という長いものとなる。以上の原因から，前記原稿Ｓが光の光路上を占有する場合の前記反射光の強度と，そうでない場合（白板５で光が反射する場合）の強度との差を付けにくくなり，サイズ判別の精度を高く保つのが困難である。その結果，例えばＡ４サイズ（２１０ｍｍ×２９９ｍｍ）とレターサイズ（２１６ｍｍ×２７９ｍｍ）といった，近いサイズを持つ２種類の原稿の判別精度が低いという問題点があった。
一方，上述の第２の方法（プレスキャンによる方法）では，原稿サイズの判別精度は高いことが知られているが，前記原稿を含む前記原稿台１の全領域の画像の読み取りが必要であり，原稿サイズの判別に多くの時間を要するという問題点がある。
従って，本発明は上記事情に鑑みてなされたものであり，その目的とするところは，高精度で原稿サイズの判別を行うことが可能であり，また，原稿サイズの判別を短い時間で行うことが可能な画像処理装置を提供することにある。
【課題を解決するための手段】
【０００６】
上記目的を達成するために本発明は，光を透過させる部材からなる原稿台上で，該原稿台と離接可能な原稿押さえ部材により原稿を押さえつつ保持し，その状態で前記原稿の画像を読み取る画像処理装置であって，前記原稿押さえ部材と前記原稿台の内部（原稿台を境として原稿が載置される側とは反対側）との一方に発光部，他方に受光部を設けておき，前記発光部から出射される光を前記受光部で検知した結果に基づいて前記原稿のサイズを判別する画像処理装置として構成される。
このように，前記発光部の一方を前記原稿押さえ部材側に，他方を前記原稿台の内部に設けることにより，前記発光部から出射される光の光路を直線状にする（言い換えると，前記発光部から前記受光部に光を入射させる場合，前記光の反射を要さずに直接的に前記受光部に入射させる）ことが可能である。つまり，前記光路上を前記原稿が占めない場合には，前記発光部から出射された光が直接的に高強度で前記受光部に入射する一方，前記原稿が前記光路を占める場合には，前記光は前記原稿に遮られる結果，著しく低強度で前記受光部に入射する。従って，前記原稿が前記光路上を占めるか否かで，前記受光部に入射する光の強度に明らかな差が生じやすく，これにより原稿サイズの判別精度を高く保つことが可能である。また，プレスキャン等を行う必要がなく，原稿サイズ判別を短時間で行うことが可能である。
【０００７】
上述のように判別された原稿サイズに基づいて，前記原稿台上の読み取り範囲を前記原稿の存在範囲に限定することが考えられる。これにより，例えばメモリコピーを行う場合の容量使用量の低減，画像読み取りの高速化等の効果が生じる。もちろん，これ以外にも，読み取られた画像に施す画像処理の適用範囲の制限，画像形成を行う場合の用紙選択，該用紙上の画像形成範囲の限定等に用いても良い。
前記発光部及び前記受光部は，予め定められた複数のサイズ（例えば，ＡＢ系列等）の矩形状の原稿各々が，その一の角部を前記原稿台上の基準位置（例えば，角部等）に位置合わせされた状態で前記原稿台に載置された場合の，前記一の角部と対向する角部（基準対向角部という）付近の位置（図５参照）に設けることが考えられる。これにより，前記発光部及び前記受光部の組が，前記複数サイズのうちの一種類のサイズに対応付けられるので，前記受光部各々による受光結果の集計から前記原稿のサイズを判別するのが容易になる。
【０００８】
また，前記基準対向角部における前記原稿の輪郭の内側と外側とに前記発光部及び受光部の対を配置することも考えられる。この場合には，前記原稿が予め定められた複数サイズのいずれかであるならば，その原稿の輪郭の内側に配置された受光部では受光量が小さくなり，一方外側に配置された受光部では受光量が大きくなるので，前記原稿が予め定められた複数サイズのいずれかに該当するか（典型的には，ＡＢ系列などの定格のサイズの原稿であるか）否かも判別することが可能である。
ところで，前記原稿押さえ部の前記原稿に接する面側に凹部を形成しておき，その凹部に前記発光部若しくは前記受光部を設ける場合には，前記原稿押さえ部を前記原稿台に近接させた状態でも前記発光部若しくは前記受光部が前記原稿台と干渉せず，良好である。
尚，前記凹部の内側に前記発光部を設ける場合，前記凹部の内面形状は，前記発光部から前記凹部の開口部に至るまで略同一の広さの筒状若しくは徐々に狭まるテーパ状に形成するのが望ましい。この場合，前記発光部から出射される光の拡散を防止することが可能であり，前記受光部に入射するときの前記光を高強度に保つことが可能である。
ただし，その場合，前記原稿から画像を読み取る場合に，前記凹部の裏写り，前記原稿の浮きが懸念される。そこで，前記原稿押さえ部を弾性部材から形成しておき，画像を読み取る場合には，前記原稿押さえ部の自重による弾性変形により前記凹部の開口部を閉じることが考えられる。
より詳しくは，前記原稿押さえ部が前記原稿を完全に押さえる第１の位置よりもわずかに前記原稿から離間する第２の位置にあることを検知する機能を設けておく。また，前記原稿サイズの判別は前記開口部が開いている状態，つまり前記原稿押さえ部が前記第２の位置にあることが検知されている状態で行う。更に，前記原稿の読み取りは，前記原稿押さえ部が前記第２の位置から前記第１の位置に移行し，これに伴う前記原稿押さえ部の弾性変形により前記開口部が閉じた状態で行う。
これにより，前記凹部の開口は原稿サイズの判別時には開状態とし，画像読み取り時には閉状態とされるため，画像読み取りの際の前記凹部の裏写り，前記原稿の浮き等の問題は解消される。
【発明の効果】
【０００９】
本発明によれば，受光部と発光部との一方を原稿押さえ部材側に，他方を原稿台の内部に設けることにより，前記発光部から前記受光部への光路を直線状にすることが可能である。これにより，前記原稿が前記光路上を占めるか否かで，前記受光部に入射する光の強度に明らかな差が生じやすくなり，原稿サイズの判別精度を高く保つことが可能である。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は従来例における複合機（画像処理装置の一例）の前記原稿台周辺の概略構成図，図２は本発明の実施形態に係る複合機の概略構成図，図３は原稿押さえ部材に対する第１の位置及び第２の位置を説明する概念図，図４は原稿押さえ部に設けられた凹部の形状の一例を表す概略図，図５は受光部及び発光部の配置位置の一例を表す概念図，図６は受光部各々による受光結果と原稿サイズとの対応関係を表すテーブル，図７は原稿押さえ部に設けられた凹部の形状の他例を表す概略図，図８はシャッターにより開閉可能な凹部の概略図，図９は受光部及び発光部の配置位置の他例を表す概念図である。尚，従来例と同様の構成については従来例と同様の符号を用いるものとする。
【００１１】
（１）本発明の実施形態に係る複合機の概略について。
以下，図２を参照しつつ，本発明の実施形態に係る複合機の概略について説明する。
図２に示される本発明の実施形態に係る前記複合機Ａ（画像処理装置の一例）は，印字モードとしてコピアモード，プリンタモード，ＦＡＸモードを有しており，前記コピアモードの際の，画像読み取り対象の原稿サイズ判別の方法において特徴を有するものである。
前記複合機Ａの構成は大別して，ＡＤＦ部Ｘ１，光学部Ｘ２，印字部Ｘ３，排紙部Ｘ４に分類される。前記ＡＤＦ部Ｘ１は，前記光学部Ｘ２の上方に配設され，前記印字部Ｘ３及び前記排紙部Ｘ４は前記光学部Ｘ２の下方に配設される。
以下に，前記各処理モードの中からコピアモードの動作を例にとって前記複合機Ａの構成を説明する。
【００１２】
（２）光学部Ｘ２による画像読み取りについて。
コピアモードの場合，前記原稿サイズの判別及び前記画像の読み取りは，前記ＡＤＦ部Ｘ１における原稿カセット６から排紙カセット７に至る搬送経路８を搬送する場合（原稿移動方式）と，光を透過させる部材からなる原稿台１（プラテンガラス等）に前記原稿が載置された状態で行う場合（原稿固定方式）と，のいずれかを採用することが可能である。尚，前記原稿移動方式における前記原稿サイズの判別は，本発明の特徴と何ら関係がないので，その説明を省略する。
前記ＡＤＦ部Ｘ１は，図２に示される両矢印に沿って開閉が可能である。これに伴って，前記ＡＤＦ部Ｘ１に一体に設けられた原稿押さえ部２ａは，前記原稿読み取り部Ｘ１における原稿台１から離れた状態と，前記原稿台１上に載置された原稿Ｓを押さえつつ前記原稿台１に近接する状態とに切り替えられる。
前記原稿固定方式では，前記原稿読み取り部Ｘ１におけるプラテンガラス等からなる前記原稿台上１に，所定の基準位置に対して位置合わせされ配置された原稿Ｓが載置された後，前記ＡＤＦ部Ｘ１が閉じられる際に，詳しくは後述のように前記原稿Ｓのサイズが判別される。
また，前記ＡＤＦ部Ｘ１が閉じられ前記原稿押さえ部２ａが前記原稿Ｓを押さえた状態で，前記原稿台１を介して前記光学部Ｘ２により画像が読み取られる。尚，前記光学部Ｘ２は露光装置９，ミラー１０，レンズ１１，ＣＣＤ１２，制御部１３等を有する画像読み取り手段の一例である。
以下，前記光学部Ｘ２による画像読み取りについて詳述する。
まず前記原稿Ｓに対して露光装置９（画像読み取り手段の一部）から光が照射される。詳しくは，制御部１３（読み取り範囲制御手段の一例）の制御により，後述のように判別された前記原稿Ｓのサイズの判別結果に応じた範囲内で，前記露光装置９が前記原稿Ｓに対して光を照射させつつ前記原稿台１に沿って移動させられることで，前記原稿Ｓに対する露光が行われる。前記原稿Ｓからの反射光は原稿の画像の情報を含んでおり，複数のミラー１０及び前記レンズ１１を介し，前記反射光が前記ＣＣＤ１２により読み取られる。また前記ＣＣＤ１２で読み取られた前記画像は，前記制御部１３に入力される。
尚，前記光学部Ｘ２には，前記ＡＤＦ部Ｘ１の開閉状態を検知する状態検知センサＰＳが設けられている。該状態検知センサＰＳの検知結果は，前記原稿押さえ部２ａの位置（詳しくは後述するような，第１の位置にあるか第２の位置にあるか）の検知結果と等価であり，前記状態検出センサＰＳが原稿押さえ部位置検知手段の一例である。
【００１３】
（３）印字部による画像形成について。
以下，前記印字部Ｘ３による画像形成について説明する。
上述のような前記光学部Ｘ２による動作により，前記制御部１３には前記原稿Ｓの画像が入力されており，そこでユーザから設定された印字条件に応じて所定の処理が行われた後，前記印字部Ｘ３の静電潜像光学部１４へプリントデータとして送信される。
ここで前記感光体ドラム１５は帯電ユニット１６により，表面が所定電位に帯電されている。前記静電潜像光学部１４は前記プリントデータを表す走査光を生成し（発光部から発光されたレーザ光をポリゴンミラーで走査光化し），前記感光体ドラム１５へ照射する。これにより，前記感光体ドラム１５上には静電潜像が形成される。
その後，現像槽中のＭＧローラ１７上のトナーが，前記感光体ドラム１５面上に引き寄せられ，静電潜像は前記トナーにより前記感光体ドラム１５上の電位ギャップに応じて顕像化される。
一方，図外下方の給紙部から給紙された用紙は，タイミングを合わせて前記感光体ドラム１５方向へ搬送され，不図示の転写ユニットにより前記感光体ドラム１５上のトナーが前記用紙に転写される。前記感光体ドラム１５上に残留したトナーはクリーナーユニット１８によって回収される。
前記用紙に転写された前記トナーは，加熱定着装置１９により加熱された上で前記用紙上に定着される。また，トナーが定着された用紙は前記排紙部Ｘ４方向に搬送され排紙される。
【００１４】
（４）本発明の実施形態に係る複合機による原稿サイズ判別の概要について。
以下，前記複合機Ａで用いられる，原稿固定方式における原稿Ｓのサイズの判別方法について詳細に説明する。
まず，図３を参照しつつ，前記原稿押さえ部２ａの占有位置として第１の位置，第２の位置各々を定義する。
前記ＡＤＦ部Ｘ１が完全に閉じられた状態では，前記原稿押さえ部２ａは前記白板５を介して前記原稿Ｓを前記原稿台１に押さえつける前記第１の位置を占める。 また，前記ＡＤＦ部Ｘ１がわずかに開いた状態では，前記原稿押さえ部２ａは前記第１の位置よりも僅かに前記原稿台１から離間する前記第２の位置を占める。
前記原稿押さえ部２ａが前記第１の位置，前記第２の位置にあることは，前記ＡＤＦ部Ｘ１の開閉状態を検知する前記状態検知センサＰＳの検知結果に基づいて検知可能であり，前記原稿サイズの判別は，前記原稿押さえ部２ａが前記第２の位置にあることが検知された際に（前記ＡＤＦ部Ｘ１が完全に閉じられる寸前に）行われる。一方，前記光学部Ｘ２による画像の読み取りは，前記原稿押さえ部２ａが前記第１の位置にある状態で行われる。
【００１５】
ここで，図２に示される如く，前記原稿押さえ部２ａには，前記原稿台１に向けて光を照射する複数の発光部３が設けられている。また，前記光学部Ｘ２の内部（前記原稿台１を境として，原稿Ｓが載置される側とは反対側）には，前記原稿押さえ部２ａが前記第２の位置にある状態で前記発光部３各々と対向する位置に受光部４が設けられている。前記原稿押さえ部２ａが前記第２の位置にある状態で前記発光部３各々から光が出射され，対応する受光部４で受光（検知）される。前記発光部３及び前記受光部４の対が光検知手段の一例である。
前記受光部４各々により受光された光の受光量（強度）の情報は前記制御部１３に入力されており，前記制御部１３（原稿サイズ判別手段）はその結果に基づいて前記原稿Ｓのサイズを判別する。
【００１６】
（５）原稿押さえ部に設けられた凹部について。
図４は前記原稿押さえ部２ａに設けられた前記発光部周辺の概略図である。
前記原稿押さえ部２ａの前記原稿Ｓに接する面側の複数箇所には，図４に示されるような凹部２０が形成されており，前記発光部３各々は前記凹部２０内に設けられている。
前記凹部２０の内面形状は，図４（ａ）に示されるように前記発光部３から開口部２１に至るまで徐々に狭まるテーパ状に形成されている。このように内面形状を形成することで，前記発光部３から出射される原稿サイズ判別用の光の拡散が防止され，対向する前記受光部４が光を受光する際の該光の強度が高く保たれる。尚，言うまでもないが，前記白板５の，前記発光部３により出射される光の光路上の箇所には切り欠き或いは透明処理が施されており，光を通過させることが可能になっている。
ここで，前記ＡＤＦ部Ｘ１が完全に閉じられており，前記原稿押さえ部材２ａが前記原稿台１上で前記原稿Ｓを押さえる状態（前記原稿押さえ部材２ａが前記第２の位置から前記第１の位置に変位した状態，図３参照）では，前記原稿押さえ部材２ａには前記ＡＤＦ部Ｘ１の自重により前記白板５を介して図４（ｂ）の矢印に示される荷重が作用する。これにより，弾性部材からなる前記原稿押さえ部材２ａ（遮蔽手段の一例）には弾性変形が生じ，図４（ｂ）に示されるように前記凹部２０の開口部２１が塞がれた閉状態になる。
一方，前記原稿押さえ部材２ａが前記第２の位置にある状態など，前記原稿台１から離間した状態では，前記開口部２１は図４（ａ）に示される開状態となる。
【００１７】
そのような構造が必要になる理由は，以下の通りである。
即ち，前記原稿押さえ部２ａが前記第１の位置にある状態では前記光学部Ｘ２（図２参照）による前記原稿Ｓの画像読み取りが行われるが，その際に，前記開口部２１が開状態のままであったのでは，前記露光装置９（図２）による前記原稿Ｓへの光の一部が前記凹部２０に入射する，いわゆる裏写りの現象が生じてしまい，読み取られた画像の画質を低下させてしまう。また，前記原稿Ｓの浮きが生じる可能性もある。
つまり，前記原稿押さえ部材２ａが前記第２の位置にある状態では，原稿サイズの判別のために前記凹部２０の開口部２１を開状態である必要があるが，前記原稿押さえ部２ａが前記第１の位置にある状態（前記原稿Ｓの画像読み取りを行う状態）にまで前記開口部２１を開け放しとすることは不適当なのである。
【００１８】
（６）発光部，受光部の配置について。
図５は，前記原稿台１に沿う方向における前記発光部３，前記受光部４の配置位置を表す平面図である。以下，図５を参照しつつ，前記発光部３及び前記受光部４の配置位置について説明する。
図５に示される長方形各々は，前記原稿台１における基準位置（例えば，前記原稿台１が長方形である場合では特定の角部等と考えられる）に対して，ＡＢ系列における各サイズ（予め定められた複数のサイズ）の長方形（矩形）状の前記原稿がその一の角部を位置合わせされた場合の，前記原稿各々の輪郭を表す。また，図５に示される円（ａ〜ｈ）各々は，前記発光部３及び前記受光部４の配置位置を表すものである。
図５に示されるように，前記発光部３及び前記受光部４の配置位置は，ＡＢ系列における前記原稿の輪郭の内側の位置であり，かつ前記一方の角部に対向する角部（基準対向角部）の位置である。
【００１９】
前述のように，前記制御部１３には前記受光部４各々による受光量（強度）の情報が入力されている。また，前記制御部１３により，前記受光量各々が予め定められ入力された閾値よりも大きいか否かが判別される。このような判別は，前記配置位置（ａ〜ｈ）上を前記原稿が占めるか否かの判別に相当する。
ここで，前記制御部１３の有する記憶部には，図６に示されるような前記受光部４各々による受光結果と原稿サイズとの対応関係を表すテーブルが記憶されている。図６の○は，その配置位置に対応する受光部４の受光量が前記閾値以上である状態（その配置位置を前記原稿が占めていない状態）を表す。一方，×は受光量が前記閾値以下である状態を表す。例えば，配置位置ａ，ｂでの受光量が前記閾値以下であり，かつ配置位置ｃ〜ｈでの受光量が前記閾値よりも大きい場合には，前記原稿のサイズはＡ５であることを表している。
このように，前記制御部１３は，前記受光部４各々の受光結果を前記テーブル情報に適用することにより，前記原稿のサイズを判別する。
以上，本実施形態のように，前記発光部３を原稿押さえ部材２ａ側に，前記受光部４を光学部Ｘ１の内部側に設けることにより，前記発光部３から前記受光部４への光路を直線状にすることが可能である。これにより，前記原稿が前記光路上を占めるか否かで，前記受光部４に入射する光の強度に明らかな差が生じやすくなるので，原稿サイズの判別精度を高く保つことが可能である。
【実施例】
【００２０】
上述の実施形態では，発光部３が原稿押さえ部材２ａ側に，受光部４が光学部Ｘ１の内部側に設けられる例について示したが，これに限られるものではなく，前記受光部４が原稿押さえ部材２ａ側に，前記発光部３が光学部Ｘ１の内部側に設けられるものであってもよい。
また，上述の実施形態では，前記発光部３が設けられる凹部２０の内面形状は，図４（ａ）に示されるように前記発光部３から開口部２１に至るまで徐々に狭まるテーパ状であったが，これに限られるものではない。例えば，図７に示されるように，前記発光部３から開口部２１に至るまで略同一幅の筒状に設けておくことも考えられ，この場合にも，前記発光部３から出射される光の拡散を防止することが可能である。
更に，上述の実施形態では，前記原稿押さえ部材２ａが第１の位置にある状態（図３参照）で，前記開口部２１が前記原稿押さえ部材２ａの弾性変形により閉状態にされる例について示したが，これに限られるものではない。例えば，図８に示すように，前記開口部２１付近にシャッター２２を設けておき，前記原稿押さえ部材２ａが第１の位置にあるか否かの検出結果（状態検知センサＰＳによる検知結果）に基づいて前記シャッター２２を変位駆動することも考えられる。
詳しくは，前記原稿押さえ部材２ａが前記第１の位置以外（第２の位置等）にある場合には，図８（ａ）に示されるように，前記シャッター２２を前記発光部３から出射される光の光路から外れた位置にまで変位させ，前記開口部２１を開状態にすればよい。一方，前記原稿押さえ部材２ａが前記第１の位置にある場合には，図８（ｂ）に示されるように前記シャッター２２を前記発光部３から出射される光の光路上の位置にまで変位させ，前記開口部２１を開状態にすればよい。もちろん，全てのシャッターを一体として作動するようにしておけば，一つのアクチュエータで全てのシャッターを一挙に作動させることができる。
【００２１】
上述の実施形態では，前記発光部３及び前記受光部４の配置位置は，（ＡＢ系列等の）予め定められた複数サイズの前記原稿の角部（基準対向角部）付近であり，かつ輪郭の内側の位置である例を示したが，これに限られるものではなく，図９に示される配置位置（円）ａ’〜ｅ’のように，前記基準対向角部付近でかつ前記輪郭の外側の位置であってもよい。
また，前記発光部３及び前記受光部４の一部又は全部の配置位置を，前記基準対向角部付近であり，かつ前記輪郭の内側と外側とに一対に設けておくことも考えられる。
例えば，ＡＢ定格の原稿各々に対して前記輪郭の内側と外側とに一対に前記発光部３及び前記受光部４の配置位置を設けた場合には，画像読み取り対象の原稿がＡＢ定格のものであれば，原稿の輪郭の内側に配置された受光部４では受光量が小さくなり，一方外側に配置された受光部４では受光量が大きくなる。このことを利用すれば，読み取り対象の画像がＡＢ系列のものであるか否かの情報までも正確に判別することが可能である。
【００２２】
上述の実施形態では，画像処理装置の一例として複合機を例に挙げたが，画像読み取りが可能な複写機，スキャナ等は全て本発明の適用対象である。
【図面の簡単な説明】
【００２３】
【図１】従来例における複合機（画像処理装置の一例）の前記原稿台周辺の概略構成図。
【図２】本発明の実施形態に係る複合機の概略構成図。
【図３】原稿押さえ部材に対する第１の位置及び第２の位置を説明する概念図。
【図４】原稿押さえ部に設けられた凹部の形状の一例を表す概略図。
【図５】受光部及び発光部の配置位置の一例を表す概念図。
【図６】受光部各々による受光結果と原稿サイズとの対応関係を表すテーブル。
【図７】原稿押さえ部に設けられた凹部の形状の他例を表す概略図。
【図８】シャッターにより開閉可能な凹部の概略図。
【図９】受光部及び発光部の配置位置の他例を表す概念図。
【符号の説明】
【００２４】
Ａ…本発明の実施形態に係る複合機（画像処理装置の一例）
Ｓ…原稿
１…原稿台
２ａ，２ｂ…原稿押さえ部材
３…発光部
４…受光部
５…白板
６…原稿カセット
７…排紙カセット
８…搬送経路
９…露光装置
１０…ミラー
１１…レンズ
１２…ＣＣＤ
１３…制御部
１４…静電潜像光学部
１５…感光体ドラム
１６…帯電ユニット
１７…ＭＧローラ
１８…クリーナーユニット
１９…加熱定着装置
２０…凹部
２１…開口部
２２…シャッター
【図１】
2006332776.tif 000003
【図２】
2006332776.tif 000004
【図３】
2006332776.tif 000005
【図４】
2006332776.tif 000006
【図５】
2006332776.tif 000007
【図６】
2006332776.tif 000008
【図７】
2006332776.tif 000009
【図８】
2006332776.tif 000010
【図９】
2006332776.tif 000011